(57)【特許請求の範囲】
【請求項１】
指針表示部と液晶表示部とを有する複合表示時計の前記指針表示部と前記液晶表示部とを、一枚のＥＬ照明板で照明する複合表示時計において、指針の中心位置を外して前記液晶表示部を配置し、該液晶表示部を保持する支持枠を設け、該支持枠に光透過部を設け、前記支持枠の下面側に前記ＥＬ照明板を配置して、前記指針表示部と前記液晶表示部の両方を照明することを特徴とするＥＬ照明付き複合表示時計。
【請求項２】
前記ＥＬ照明板を前記液晶表示部と前記指針表示部との間に配置したことを特徴とする請求項１に記載のＥＬ照明付き複合表示時計。
【請求項３】
少なくとも前記指針表示部の指針軸周辺の前記支持枠は光を透過する透明部材で出来ていることを特徴とする請求項２に記載のＥＬ照明付き複合表示時計。
【請求項４】
前記支持枠は前記液晶表示部を支持するセル支持枠であることを特徴とする請求項１又は請求項３に記載のＥＬ照明付き複合表示時計。
【請求項５】
前記液晶表示部の電極取り出し部や封止部の上方には前記ＥＬ照明板からの照明光を減衰あるいは遮断する光吸収部を設けたことを特徴とする請求項１から請求項４のいずれかに記載のＥＬ照明付き複合表示時計。
【請求項６】
前記支持枠の光透過部の可視光透明率が３０〜９２％であることを特徴とする請求項１又は請求項４に記載のＥＬ照明付き複合表示時計。
【請求項７】
前記支持枠の更に上方に光透過性の文字板を配置したことを特徴とする請求項１に記載のＥＬ照明付き複合表示時計。
【請求項８】
前記光透過性の文字板に光吸収部を設けたことを特徴とする請求項７に記載のＥＬ照明付き複合表示時計。
【発明の詳細な説明】
【０００１】
【産業上の利用分野】
本発明はＥＬ照明付き複合表示時計に関するものである。
【０００２】
【従来の技術】
従来よりモーターの回転を制御し、減速し、機械部分より構成され指針により時刻を表示する指針表示部と液晶物質をガラス基板間に封止し、印加電圧を制御し、液晶の電気−光学効果で時刻を数字表示する液晶表示部とを有する複合表示時計は周知である。また、夜間等の暗い時にも時刻が見えるようにエレクトロルミネッセンス（以下にＥＬと略記する）で表示部を照明することも行なわれている。
【０００３】
以下に従来のＥＬ照明付き複合表示時計を図面を用いて説明する。図２は従来のＥＬ照明付き複合表示時計の内部機構部（モジュール）の主要部を示す断面図で、時計の外装、詳細部等は省略し、説明用の概念図として描いてある。図において、１１はステップモーター、減速輪列等より構成される機械部分で、１２は指針軸、１３は指針である。指針軸１２と指針１３より指針表示部１４が構成され、時刻が指針で表示される。
【０００４】
１５は液晶表示部で上ガラス基板１６と下ガラス基板１７との間に液晶物質が封止されているが、図では省略されている。ツイステッド・ネマチック（以下ＴＮと略記する）液晶では一般に偏光板を用いるがこれも省略されている。１８は液晶表示部支持枠であり、液晶表示部１５を回路基板１９に固定し、導電ゴム２０を圧縮し、液晶表示部１５と回路基板１９との導通をとっている。２１は液晶表示部１５の下部に配置されたＥＬフィルムで、液晶表示部１５を下方より照明する。５はＥＬフィルムと回路基板１９を電気的に接続するコイルバネである。２２は文字板で指針表示部１４の背面を構成し、かつ、液晶表示部１５を見ることが出来るよう貫通穴を有すると共に、導電ゴム２０を見えなくする見切り部材の役割をしている。
【０００５】
通常は、発信源からの信号により機械部分１１、指針軸１２を介して指針１３により指針表示部１４でアナログ時刻の表示を行なう。同様に、発信源からの信号により導電ゴム２０を介して液晶表示部１５により、デジタル時刻の表示を行なう。そして、暗い場所などに居るときは、図示しないスイッチ（以下ＳＷと略記する）を押すことにより回路基板１９の信号によりコイルバネ５を介してＥＬフィルム２１を点灯し液晶表示部１５の文字を読むことにより、時刻を知ることが出来る。
【０００６】
図３は更に、従来のＥＬ照明付き複合表示時計の内部機構部（モジュール）の主要部を示す断面図で、時計の外装や詳細部等は省略し、説明用の概念図として描いてある。図において、１１はステップモーター、減速輪列等より構成される機械部分、１２は指針軸、１３は指針である。指針軸１２と指針１３より指針表示部１４が構成され、時刻が指針で表示される。
【０００７】
２３は全面液晶表示部で上ガラス基板２３ａと下ガラス基板２３ｂとの間に液晶物質が封止されているが、図では省略されている。又図２と同様にＴＮ液晶では偏光板を用いるが、省略されている。全面液晶表示部２３は、時計の表示面全体をしめる形状で、正方形、八角形等の平面形状の中央部に指針１３を配設するための貫通穴２４が設けられている。貫通穴２４の中に指針軸１２が配置され、文字板２２は全面液晶表示部２３が見えるよう周辺部にだけ配置されている。ＥＬフィルム２５も正方形、八角形等の全面液晶表示部２３と同形の平面形状で中央部に貫通穴２６が設けられている。
【０００８】
図３の構成は、全面液晶表示部２３の中央に形成された貫通穴２４に配置された指針軸１２を介し、指針１３によりアナログ時刻を、表示部のほぼ全面に配置された全面液晶表示部２３により、デジタル時刻を表示することは図２と同様である。そして暗い場所においては、図示しないＳＷを押すことによって回路基板１９の信号により、コイルバネ５を介してＥＬフィルム２５を点灯することで、液晶表示部２３の文字を照明するばかりでなく、漏れた明かりで指針の時刻を知ることも出来る。
【０００９】
【発明が解決しようとする課題】
しかしながら図２の構成では、夜間等の暗い時には図示しないが、ＳＷによりＥＬフィルムを発光させ表示部を照明させるが、この時液晶表示部１５は照明されて数字を読み取ることはできるが、指針表示部１４では、液晶表示部支持枠１８が透過性ではないので、液晶表示部支持枠１８に遮られて照明は全く届かず、指針１３は暗くて時刻を読み取ることはできない。
【００１０】
また図３の構成では、夜間等の暗い場所においては、ＳＷでＥＬフィルム２５を発光させ、全面液晶表示部２３を照明し、数字を読み取ることはでき、指針表示部１４もそれなりに明かるく、指針１３で時刻を読み取ることもできる。しかし、この全面液晶表示部２３を採用した方式では、ガラスでできた液晶セルに貫通穴２４を加工しなければならないので、加工費用がかかり、かつ貫通穴２４のため、全面液晶表示部２３の機械的強度も弱く、時計の耐衝撃性も悪く、特別な耐衝撃構造をとる必要があり、その意味からもコスト上割高となる欠点を有している。
【００１１】
また腕時計のように、機能性と装飾性の両方が要求される商品では、全面液晶表示部２３を採用した方式では、液晶表示面が偏光板で覆われ、暗くなり、表示面全体の照明が暗くなる欠点もある。このため暗い照明で照らされるアナログ表示部も更に暗くなる欠点を有している。さらに、液晶表示部の面積が多い程、指針表示のアナログ腕時計に比べ数字表示のデジタル腕時計に近づき、商品の価値観が低くなる。
【００１２】
このように、従来のＥＬ照明付き複合表示時計では、液晶表示部のみＥＬ照明されたり、指針表示部のみＥＬ照明されたりで、片方が暗く見にくく、また全面液晶表示部を採用した方式では、加工費が高く、耐衝撃性も悪く、商品の価値観も低くなっている。ＥＬ照明付き複合表示時計で、液晶表示部及び、指針表示部が照明され、かつ商品価値の高いものの開発が望まれていた。
【００１３】
本発明の目的は、上記課題を解決しようとするもので、従来のＥＬ照明付き複合表示時計に対し、加工費が安く、商品価値が高い、液晶表示部及び指針表示部の両方が照明される新しいＥＬ照明付き複合表示時計を提供することにある。
【００１４】
【課題を解決するための手段】
上記目的を達成するための本発明の要旨は、指針表示部と液晶表示部とを有する複合表示時計の前記指針表示部と前記液晶表示部とを、一枚のＥＬ照明板で照明する複合表示時計において、指針の中心位置を外して前記液晶表示部を配置し、該液晶表示部を保持する支持枠を設け、該支持枠に光透過部を設け、前記支持枠の下面側に前記ＥＬ照明板を配置して、前記指針表示部と前記液晶表示部の両方を照明することを特徴とする。
【００１５】
前記ＥＬ照明板を前記液晶表示部と前記指針表示部との間に配置し、少なくとも前記指針表示部の指針軸周辺の前記支持枠は光を透過する透明部材で出来ているものであり、この支持枠は前記液晶表示部を支持するセル支持枠で構成され、前記液晶表示部の電極取り出し部や封止部の上方には前記ＥＬ照明板からの照明光を減衰あるいは遮断する光吸収部を設けたことを特徴としている。
【００１６】
また、前記支持枠の光透過部の可視光透明率が３０〜９２％である。
【００１７】
更に、前記支持枠のその上方に光透過性の文字板を配置したことを特徴とするものである。
【００１８】
また、前記光透過性の文字板に光吸収部を設けたことを特徴とするものである。
【００１９】
【作用】
すなわち、本発明におけるＥＬ照明付き複合表示時計は、加工費が安く、商品価値が高い液晶表示部及び、指針表示部の両方が照明される新しい構造となっている。
【００２０】
【実施例】
以下図面により本発明の実施例を詳述する。図１は本発明の第１実施例のＥＬ照明付き複合表示時計の内部機構部（モジュール）の主要部を示す断面図で、時計の外装、詳細部等は省略し、説明用の概念図として描いてある。図において、１１はステップモーター、減速輪列等より構成される機械部分、１２は指針軸、１３は指針である。指針軸１２と指針１３より指針表示部１４が構成され、時刻が指針で表示される。１５は液晶表示部で上ガラス基板１６と下ガラス基板１７との間に液晶物質が封止されているが、図では省略されている。ＴＮ液晶では偏光板を用いるが、省略されている。液晶表部１５は本実施例では指針軸１２に対し上下２つに別れて配置されている。
【００２１】
１は液晶表示部支持枠であり、液晶表示部１５を回路基板１９に固定し、導電ゴム２０を圧縮し、液晶表示部１５と回路基板１９との導通をとっている。液晶表示部支持枠１はポリスチロールやポリカーボネート、ポリサルコン、あるいはアクリルやナイロン４６等の光透過性樹脂より形成され、一般にプラスチック成形加工で作られる。２は液晶表示部１５の下部に配置されたＥＬフィルムで、液晶表示部１５を照明する。ＥＬフィルム２はＺｎＳ等の蛍光物質粒子を透明絶縁樹脂で封止し、透明電極と反射電極との間にサンドイッチした構造のフィルムであって、２５〜７５Ｖの交流電圧を印加することにより発光し、液晶表示装置のバックライトとして広く利用されつつある。
【００２２】
３はリチウム電池、銀電池等の小型電池である。４は電池押さえバネである。回路基板１９にはＩＣ、水晶振動子、昇圧回路等が実装されているが省略されている。５はコイルバネでＥＬフィルム２と回路基板１９との導通をとる。
【００２３】
本発明の第１実施例では、液晶表示部支持枠１の可視光透過率については記載しなかったが、液晶表示部１５としてＴＮ液晶を採用すると、上下二枚の偏光板を使用すると次の様になる。すなわち、偏光板の可視光透過率は用途により３５〜５５％程度のものが多く用いられる。可視光透過率の大きいものは表示面は明かるくなるが、表示のコントラスト（明暗比）が低下する。液晶表示部１５の可視光透過率が４２％の場合には、ＥＬフィルム２の発光も４２％が透過し、５８％が吸収される。液晶表示部支持枠１の可視光透過率が高い場合には、指針表示部１４と液晶表示部１５とでＥＬフィルム２の発光の透過率が異なり、指針表示部１４がより明かるく見える。
【００２４】
本発明の第１実施例では、指針表示部１４と液晶表示部１５とのＥＬフィルム２の発光の透過をバランスするため液晶表示部支持枠１の可視光透過率を調整することができる。調整方法としては光透過性樹脂に着色剤を添加し、プラスチック成形加工する方法や、光散乱性樹脂を用いる方法や、プラスチック成形加工に使用する金型の表面を荒らし成形加工表面で光散乱を多くする方法や、プラスチック成形加工後表面へ半透過層を印刷する方法や、これらを組み合わせた方法がある。
【００２５】
液晶表示部支持枠１の可視光透過率は３０〜９２％が適している。３０％未満では、指針表示部１４の光吸収が大きく、指針表示部１４が暗くなり過ぎる。液晶表示部１５の可視光透過率とバランスするためには、３０〜７０％が適している。また、一番見る頻度の高い指針表示部１４をより明かるくするには７０〜９２％が適している。９２％以上ではより明かるくなるが、反射防止膜等の特殊な加工方法が必要で高価になってしまう。
【００２６】
図４は本発明の第２実施例のＥＬ照明付き複合表示時計の内部機構部（モジュール）の主要部を示す拡大断面図である。図において、液晶表示部１５の上ガラス基板１６と下ガラス基板１７との間に液晶物質３１が挟持され、封止部３０で封止される。液晶駆動用の電極は、電極取り出し部３２より導電ゴム２０で電気的接続がなされることにより行なわれる。
【００２７】
１は液晶表示部支持枠で、第１実施例同様光透過性樹脂より形成されている。また、３３は液晶の表示部分以外を遮蔽する光吸収部である。ＥＬフィルム２の発光は、液晶表示部支持枠１を透過し、指針表示部１４を照明し、指針１３で時刻を読み取ることができる。しかし液晶表示部１５を透過する光は表示面は透過するが、表示面以外の封止部３０、電極取り出し部３２、導電ゴム２０で遮蔽され、上から見るとこの部分は影として見える。この影は装飾性も要求される時計には不具合であるため、この実施例では、影となる部分の液晶表示部支持枠１の上にきれいなパターン状の光吸収部３３が不透明層として印刷されている。光吸収部３３の不透明層により影が遮蔽され装飾性が保たれる。この実施例のように液晶表示部支持枠１の上に直接印刷する方法でもいいし、上方に別の部材を配置しても、この遮蔽効果は得られる。
【００２８】
本発明の第２実施例では、液晶表示部支持枠１の可視光透過率については、記載しなかったが、液晶表示部１５としてＴＮ液晶を採用すると、上下二枚の偏光板を使用することとなり次のようになる。すなわち、偏光板の可視光透過率は用途により３５〜５５％程度のものが多く用いられる。可視光透過率の大きいものは表示面は明かるくなるが、表示のコントラスト（明暗比）が低下する。液晶表示部１５の可視光透過率が４２％の場合には、ＥＬフィルム２の発光も４２％が透過し、５８％が吸収される。液晶表示部支持枠１の可視光透過率が高い場合には、指針表示部１４と液晶表示部１５とでＥＬフィルム２の発光の透過率が異なり、指針表示部１４がより明かるく見える。
【００２９】
この本発明の第２の実施例では、指針表示部１４と液晶表示部１５とのＥＬフィルム２の発光の透過をバランスするため、液晶表示部支持枠１の可視光透過率を調整することができる。調整方法としては光透過性樹脂に着色剤を添加しプラスチック成形加工する方法や、光散乱性樹脂を用いる方法や、プラスチック成形加工に使用する金型の表面を荒らし成形加工表面で光散乱を多くする方法や、プラスチック成形加工後表面へ半透過層を印刷する方法や、これらを組み合わせた方法がある。
【００３０】
また第２実施例においても、液晶表示部支持枠１の可視光透過率は３０〜９２％が適している。これは前述と同様、３０％未満では指針表示部１４の光吸収が大きく、指針表示部１４が暗くなり過ぎる。液晶表示部１５の可視光透過率とバランスするためには３０〜７０％が適している。また、一番見る頻度の高い指針表示部１４をより明かるくするには７０〜９２％が適している。９２％以上はより明かるくなるが、反射防止膜等の特殊な加工方法が必要で高価になる。
【００３１】
図５は本発明の第３実施例のＥＬ照明付き複合表示時計の一部で、図１の第１実施例に光透過性の樹脂で成形された文字板３４を追加した構造であり、図５はその文字板３４の平面図である。文字板３４は光透過性の樹脂で成形され、液晶表示部１５用の空間部３５及び指針軸１２用の穴３６が形成されている。更に文字板３４の上面には、液晶表示部１５周辺の封止部３０、電極取り出し部３２、導電ゴム２０に相当する場所に光吸収部３３が不透明層とし印刷され、同時に文字板用マーク３７が印刷される。ＥＬが点灯されると、空間部３５を通し、液晶表示部１５が明かるく見え、光透過性の文字板３４も明かるく見え、光吸収部３３、文字板用マーク３７が浮かび上がり、指針表示部１４もよく見える。
【００３２】
図６は、図５で説明した文字板３４を組み込んだ本発明の第３実施例のＥＬ照明付き複合表示腕時計の平面図で、液晶表示部１５、指針１３を有する指針表示部１４等で形成され、上面は文字板３４に形成された光吸収部３３、文字板用マーク３７が見えている。このような時計の押しボタン３８を押すと、ＥＬが点灯し、液晶表示部１５、光透過性の文字板３４を介して指針表示部１４が照明される。
【００３３】
液晶表示部１５のコントラストを増加させるため、液晶表示部１５とＥＬフィルム２との間にホログラフィフィルム（例えば    米国ポラロイド社製の商品名ＩＭＡＧＩＸ）を挿入することもできる。
【００３４】
【発明の効果】
上記のごとく本発明によれば、夜間等の暗い時にはＥＬフィルム２に通電して発光させ液晶表示部１５を照明し、数字を読み取ることはでき、かつ液晶表示部支持枠１が光透過性樹脂より形成されているため、ＥＬフィルム２の発光は、液晶表示部支持枠１を透過し指針表示部１４を照明し、指針１３をも明かるく照明することが出来て、正確に時刻を読み取ることができる。
【図面の簡単な説明】
【図１】本発明の第１実施例のＥＬ照明付き複合表示時計の内部機構部（モジュール）の主要部を示す断面図である。
【図２】従来のＥＬ照明付き複合表示時計の内部機構部（モジュール）の主要部を示す断面図である。
【図３】従来の別のＥＬ照明付き複合表示時計の内部機構部（モジュール）の主要部を示す断面図である。
【図４】本発明の第２実施例のＥＬ照明付き複合表示時計の内部機構部（モジュール）の主要部を示す拡大断面図である。
【図５】本発明の第３実施例のＥＬ照明付き複合表示時計の文字板の平面図である。
【図６】本発明の第３実施例の文字板を組み込んだＥＬ照明付き複合表示腕時計の平面図である。
【符号の説明】
１    液晶表示部支持枠
２    ＥＬフィルム
１１    機械部分
１４    指針表示部
１５    液晶表示部
３３    光吸収部
３４    文字板
３６    穴
３７    文字板用マーク
【図１】
0003563175.tif 000002
【図２】
0003563175.tif 000003
【図３】
0003563175.tif 000004
【図４】
0003563175.tif 000005
【図５】
0003563175.tif 000006
【図６】
0003563175.tif 000007